(57)【要約】【課題】  簡単な操作で被写体に即した適正なモードを設定し、シャッターチャンスを逃すことのない撮影を行うことができる撮像装置を提供する。【解決手段】  装置本体に回動部を持たず、本体の角度により動作方法を制御する撮像装置において、例えば背面から見た場合に長方形の形状をした撮像装置の場合、任意の角度と１８０度反転させた角度それぞれに動作モードを割り当てる。本体のホールドポジションにより、簡単な操作で適切な撮影モードをまたは再生するモードを設定できるため、ユーザーがシャッターチャンスを逃すことなく、撮影した画像を即座に再生が可能となる。また撮影レンズよりも下側に閃光発光部が配置されるようにホールドされた場合、閃光発光を使用しないモードに優先的に割り当て、最適な露出で撮影することが可能となる。【選択図】  図１
2010147771.tif 000002
【特許請求の範囲】
【請求項１】
２つ以上のホールドポジションを有する撮像装置であって、
撮像装置本体のポジション角度を検出する検出手段を有し、
前記類似したホールドポジション間で任意の異なる動作モードを設定することが可能なことを特徴とする撮像装置。
【請求項２】
前記任意の異なる動作モードは全て静止画撮影モードまたは全て動画モードであり、各ホールドポジションにおいて露出設定や被写体検知方式が異なることを特徴とする、請求項１に記載の撮像装置。
【請求項３】
前記２つ以上のホールドポジションのうち、撮像装置の鏡筒面に配置された閃光発光装置の位置が正位置となるポジションが１つ以上存在し、前記閃光発光の位置が正位置となるポジションに閃光発光を許可するモードを割り当て、他のポジションは閃光発光を許可しないモードを割り当てることを特徴とする、請求項２に記載の撮像装置。
【請求項４】
前記任意の異なる動作モードの少なくとも１つは静止画撮影モードであり、また少なくとも１つは動画撮影モードであることを特徴とする、請求項１に記載の撮像装置。
【請求項５】
前記２つ以上のホールドポジションのうち、撮像装置の鏡筒面に配置された閃光発光装置の位置が正位置となるポジションが１つ以上存在し、前記閃光発光の位置が正位置となるポジションに静止画撮影モードを割り当て、他のポジションのうち１つ以上に動画撮影モードに割り当てることを特徴とする、請求項１に記載の撮像装置。
【請求項６】
前記任意の異なる動作モードの少なくとも１つは静止画や動画を撮影する撮影モードであり、また少なくとも１つは撮影した静止画や動画を再生する再生モードであることを特徴とする、請求項１に記載の撮像装置。
【請求項７】
前記２つ以上のホールドポジションを２組以上有する撮像装置であって、任意のポジションで撮影した動画や静止画を、違和感のない他の類似したポジションにホールドされた際に再生する再生モードに割り当てることを特徴とする、請求項６に記載の撮像装置。
【発明の詳細な説明】
【技術分野】
【０００１】
本発明は、ホールドポジションにより動作モードを変更する撮像装置または撮像装置の制御方法に関する。
【背景技術】
【０００２】
近年液晶の大型化に伴い、デジタルカメラの背面側に占める表示部の割合がますます大きくなりつつある。光学ファインダーの廃止や、機械式スイッチのタッチパネルシステムへの代替などにより、背面側の殆どが液晶面といったデジタルカメラもすでに製品化されている。このようなデジタルカメラは、背面から見ると上下・左右それぞれ対称性を有し、メーカーのロゴマーク等、正位置を示すマークがなければ、まさに上下・左右という概念がない、ユーザーの自由な持ち方も可能となるデジタルカメラといえる。
【０００３】
このようなタッチパネルを搭載したデジタルカメラにおいて、撮影モードの設定変更もパネル面で行う機種も存在する。これらの設定変更は、スタイラスや指を使用して画面を直接タッチすることで行われるが、その際に、接触がうまくいかずモード変更が出来ないといった問題があったり、タッチする部分や指で覆われる部分のスルー画像が見えなくなるといった問題があった。
【０００４】
撮像装置本体または撮像装置の回動部の角度・位置を検知し、角度・位置に応じて装置の挙動を変更する電子機器は多数提案されている。
【０００５】
特許文献１には、折り畳み式携帯端末装置において、表示部の回動角度により複数の機能を変更する技術が開示されている。この携帯端末は、回動角度により、受信の待ち受けモード、電子手帳削除モード、電子電話帳入力モード、電子電話帳検索モード、通話モードなどが選択可能である。
【０００６】
また、特許文献２には、表示部と装置本体の角度により機能を切り替える、カメラ付き携帯端末（ＰＤＡ）が開示されている。この携帯端末は、表示部を開き、さらに横方向に回転させた場合に、モニタ付きビデオカメラとして使用できる。
【０００７】
また、特許文献３には、本体角度に応じて、表示角度を変更する携帯型テレビが開示されている。
【０００８】
また、特許文献４には、カメラの傾斜角を検知して、ユーザーの設定した特定の角度でバックライトやモニタのＯＮ／ＯＦＦを実行できるカメラが提案されている。
【特許文献１】特開平７−５０７１１号公報
【特許文献２】特開２００１−１６９１６６号公報
【特許文献３】特開２００５−２２１９５４号公報
【特許文献４】特開２００６−１３５７６７号公報
【発明の開示】
【発明が解決しようとする課題】
【０００９】
以上の提案に対し、本発明は撮像装置本体に回動部を持たず、本体の角度により撮像装置の動作方法を制御するものである。例えば背面から見た場合に長方形の形状をした撮像装置の場合、任意の角度と１８０度反転させた角度に対照的な２つのモードを割り当てることができ、本体のホールドポジションにより、簡単な操作で適切な撮影モードをまたは再生するモードを設定できるため、ユーザーがシャッターチャンスを逃すことなく、撮影した画像を即座に再生が可能となる。また撮影レンズよりも下側に閃光発光部が配置されるようにホールドされた場合、閃光発光を使用しないモードに優先的に割り当て、最適な露出で撮影することが可能となる。
【課題を解決するための手段】
【００１０】
上記課題を解決するために、本発明における撮像装置は、２つ以上の類似した違和感のないホールドポジションを有する撮像装置であって、撮像装置本体のポジション角度を検出する検出手段を有し、前記類似したホールドポジション間で任意の異なる動作モードを設定することが可能であることを特徴とする。
【００１１】
上記課題を解決するために、本発明における撮像装置は、前記任意の異なる動作モードは全て静止画撮影モードまたは全て動画モードであり、各ホールドポジションにおいて露出設定や被写体検知方式が異なることを特徴とする。
【００１２】
上記課題を解決するために、本発明における撮像装置は、前記２つ以上の類似したホールドポジションのうち、撮像装置の鏡筒面に配置された閃光発光装置の位置が正位置となるポジションが１つのみ存在し、前記閃光発光の位置が正位置となるポジションに閃光発光を許可するモードを割り当て、他のポジションは閃光発光を許可しないモードを割り当てることを特徴とする。
【００１３】
上記課題を解決するために、本発明における撮像装置は、前記任意の異なる動作モードの少なくとも１つは静止画撮影モードであり、また少なくとも１つは動画撮影モードであることを特徴とする。
【００１４】
上記課題を解決するために、本発明における撮像装置は、前記２つ以上の類似したホールドポジションのうち、撮像装置の鏡筒面に配置された閃光発光装置の位置が正位置となるポジションが１つのみ存在し、前記閃光発光の位置が正位置となるポジションに静止画撮影モードを割り当て、他のポジションのうち１つを動画撮影モードに割り当てることを特徴とする。
【００１５】
上記課題を解決するために、本発明における撮像装置は、前記任意の異なる動作モードの少なくとも１つは静止画や動画を撮影する撮影モードであり、また少なくとも１つは撮影した静止画や動画を再生する再生モードであることを特徴とする。
【００１６】
上記課題を解決するために、本発明における撮像装置は、前記２つ以上の類似した違和感のないホールドポジションを２組以上有する撮像装置であって、任意のポジションで撮影した動画や静止画を、違和感のない他の類似したポジションにホールドされた際に再生する再生モードに割り当てることを特徴とする。
【発明の効果】
【００１７】
請求項１乃至７に記載の本発明によると、任意のペアとなるホールドポジションにそれぞれモードを割り当てることができ、簡単な操作で適切な撮影モードをまたは再生するモードを設定できるため、ユーザーがシャッターチャンスを逃すことなく、撮影した画像を即座に再生が可能となる。また撮影レンズよりも下側に閃光発光部が配置されるようにホールドされた場合、閃光発光を使用しないモードに優先的に割り当て、最適な露出で撮影することが可能となる。
【発明を実施するための最良の形態】
【００１８】
以下、図面に従って、本発明に係る撮像装置の実施形態について説明する。
【００１９】
図１は本発明の実施形態の一例を示す撮像装置１００である。この撮像装置は、静止画や動画の記録及び再生機能を備えた装置である。
【００２０】
１０１は電源スイッチであり、撮像装置本体の電源ＯＮ・ＯＦＦ制御を行うスイッチである。１０２はタッチパネル機能つき液晶モニタであり、映像（スルー画像）を表示して電子ビューファインダとして使用できるとともに、記録前の撮影した画像（プレビュー画像）やカメラに装着されたメモリカードから読み出した再生画像を表示することができる。また、撮影画像に関する各種の設定情報など撮像装置１００の設定情報（ディスプレイ情報）を表示することもできる。また、タッチパネル機能つき液晶モニタ１０２は、カメラの動作モードやホワイトバランス、画像サイズなどの設定を行う際の各種のメニューが、液晶モニタ上で設定でき、各ボタンのＧＵＩ（Graphic User Interface）が表示される。更に、タッチパネル機能つき液晶モニタ１０２は、撮影モードまたは再生モードに応じて、撮影時に関する各種の設定や、撮影画像に関する各種の設定情報（ディスプレイ情報）を表示することもできる。１０３はレンズ、絞り、シャッター、バリア等の機能を有した鏡筒部である。１０４は閃光発光部であり、露光条件により発光・不発光が決定し、撮像装置１００により制御される。
【００２１】
図２は図１に示した撮像装置１００の内部構成の一例を示すブロック図である。
【００２２】
図２の構成ブロック図において、２０１は撮影レンズ、２０２は絞り機能を備えるシャッター、２０３は光学像を電気信号に変換する撮像素子、２０４は撮像素子２０３のアナログ信号出力をデジタル信号に変換するＡ／Ｄ変換器である。
【００２３】
２０５は撮像素子２０３やＡ／Ｄ変換器２０４にクロック信号や制御信号を供給する撮像素子制御回路であり、システム制御回路２０８により制御される。
【００２４】
２０６は画像処理回路であり、 Ａ／Ｄ変換器２０４からのデータ或いはシステム制御回路２０８からのデータに対して所定の画素補間処理や色変換処理を行う。２０７は撮影した画像を格納するメモリであり、所定枚数の静止画像や所定時間の動画像を格納するのに十分な記憶量を備えている。また、画像処理回路２０６やシステム制御回路２０８の作業領域としても使用することが可能である。
【００２５】
２０８は撮像装置１００全体を制御するシステム制御回路である。２０９はシステム制御回路２０８の動作用の定数、変数、プログラム等を記憶する不揮発性メモリである。不揮発性メモリ２０８には、角度検出手段２１３により読み取られた撮像装置１００のホールド角度に対して、先行発光制御装置２１６が位置する角度情報が記録されている。１２０は撮影レンズ２０１のフォーカシングならびにズーミングを制御するレンズ制御手段であり、２１１は絞り機能を備えるシャッター２０２を制御する露光制御手段である。
【００２６】
２１２は撮像装置１００に備え付けられているスイッチ全般を表すものであり、図示しないが測光・測距等を行うＳ１ボタン、撮影を行うＳ２ボタン、閃光発光の有無を切り替えるＦＬＡＳＨボタン等よりなる。
【００２７】
２１３は角度検出手段であり、装置本体の角度を検出し数値化した値をシステム制御回路２０８が読み取り、システム制御回路２０８の内部メモリ、または不揮発性メモリ２０９に記憶される。２１４は液晶モニタ制御部であり、タッチパネル機能つき液晶パネル１０２、ならびにタッチパネル機能つき液晶パネル１０２背面より光を照射するバックライトより構成される。２１５は記録媒体接続部であり、各種記録媒体を接続し、システム制御回路２０８により、データの読み出しまたは書き込みが可能となる。記録媒体より読み出されたデータは、不揮発性メモリ２０９に記憶させることも可能である。
【００２８】
２１６は閃光発光制御部である。システム制御回路２０８により、充電、発光の制御がなされる。スイッチ２１２に含まれるＦＬＡＳＨボタンにより、ユーザーは不発光、強制発光、オート発光等の切替を行うことができる。オート発光の場合は、画像処理回路２０６から出力されたデータからシステム制御回路２０８は露出条件を決定し、露出条件により発光・不発光が自動的に選択される。
【００２９】
上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００３０】
顔検出機能について説明する。システム制御回路２０８は顔検出対象の画像データを画像処理回路２０６に送る。システム制御回路２０８の制御下で画像処理回路２０６は、当該画像データに水平方向バンドパスフィルタを作用させる。また、システム制御回路２０８の制御下で画像処理回路２０６は処理された画像データに垂直方向バンドパスフィルタを作用させる。これら水平及び垂直方向のバンドパスフィルタにより、画像データよりエッジ成分が検出される。
【００３１】
その後、システム制御回路２０８は、検出されたエッジ成分に関してパターンマッチングを行い、目及び鼻、口、耳の候補群を抽出する。そして、システム制御回路２０８は、抽出された目の候補群の中から、予め設定された条件（例えば２つの目の距離、傾き等）を満たすものを、目の対と判断し、目の対があるもののみ目の候補群として絞り込む。そして、システム制御回路２０８は、絞り込まれた目の候補群とそれに対応する顔を形成する他のパーツ（鼻、口、耳）を対応付け、また、予め設定した非顔条件フィルタを通すことで、顔を検出する。システム制御回路２０８は、顔の検出結果に応じて上記顔情報を出力し、処理を終了する。このとき、顔の数などの特徴量をメモリ２０７に記憶する。
【００３２】
以上のようにライブビュー表示あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。また、同様に風景や動物など、人物以外の検出も可能である。
【００３３】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００３４】
（フローチャートの説明）
図１乃至図７を用いて、実施形態の動作について説明する。
【００３５】
図４は本発明の実施形態の一例を示すフローチャートである。
【００３６】
Ｓ１０１にて撮像装置１００の電源がＯＮされるとＳ１０２にて進み、所定の起動時モードに移行する。所定の起動時モードとは、撮像装置１００に任意に設定されるモードであり、前回の電源ＯＦＦ時のモードであっても構わない。また撮像装置１００が図示しない専用のモード起動手段が備わり、その起動手段によりモードが選択されても構わない。次に１０３にて各ホールドポジションのモード設定が選択されれば、システム制御回路２０８は、液晶モニタ制御部２１４に後述する３つの選択画面、〔静止画撮影モード＊２〕Ｓ２００、〔動画／静止画モード〕Ｓ３００、〔撮影／再生モード〕Ｓ４００表示を制御する。その結果、タッチパネル機能つき液晶モニタに、３つの選択画面が表示され、ユーザーにより選択される。選択されない場合はＳ１０４に進み、電源立ち上げ時の所定に戻る。
【００３７】
次に、図４のＳ２００ステップである〔静止画撮影モード＊２〕選択について説明する。
【００３８】
図５は、Ｓ２００ステップを表すフローチャートである。図４のＳ２００により〔静止画撮影モード＊２〕が選択されると、Ｓ２０１にて、角度検出手段２１３により本体のホールドポジション角度が検知される。Ｓ２０１にてホールドポジション角度が検知されると、システム制御回路２０８は、Ｓ２０２にて不揮発性メモリ２０９を参照し、現ホールドポジション角度とペアとなるホールドポジションを読み出す。例えば図３を例にすると、現在のホールドポジションが図３−（ａ）と検出されれば、背面から見て違和感のない外観である図３−（ｂ）がペアとなるホールドポジションであり、また現在のホールドポジションが図３−（ｄ）と検出されれば、図３−（ｃ）がペアとなるホールドポジションである。現在のホールドポジションが検出され、ペアとなるポジションが導出されるとＳ２０３に進み、角度が読み出されなかった場合や、撮像装置１００にペアとなるホールドポジションが導出されない場合はＳ２０７に進み、電源立ち上げ時の所定のモードに戻り、動作を終了する。次にシステム制御回路２０８はタッチパネルつき液晶モニタに、静止画撮影のモード一覧を表示し、Ｓ２０４にてユーザーにより、現ホールドポジションとペアとなるポジションでの撮影モードが選択される。ここで静止画撮影モードに特に規定はない。一般的なモードとして(1) 望遠／マクロなどのオートフォーカスに係わるモード、(2) 顔認識、風景認識、動物認識などの認識に係わるモード、(3) 人物、料理などのホワイトバランスに係わるモード、(4) 子供、花火など絞り・シャッタースピードに係わるモード等、どのモードから選択されても構わない。
【００３９】
Ｓ２０５にて設定が決定されるとＳ２０６に進み、再設定が選択されれば、Ｓ２０３に戻る。次にシステム制御回路は、角度検出手段２１３により現在のホールドポジションを検出し、Ｓ２０４にて決定されたポジションに従い、モードを変更する。以上で図５におけるＳ２００ステップが終了する。
【００４０】
ここで、Ｓ２０２にてペアとなるホールドポジションが１つの場合を例としたが、２つ以上の場合でも構わない。例えば、撮像装置１００を背面から見た場合に正方形の形状をしている場合、違和感のないホールドポジションが４つと認識できる。その場合は、Ｓ２０４にて４つのポジションそれぞれにおいて撮影モードを設定することが可能である。正三角形の形状であれば３つであり、正六角形であれば６つのモードが選択できても構わない。
【００４１】
また、Ｓ２０４にてペアとならないホールドポジションのモード設定の選択を行っても構わない。例えば、Ｓ２０１にて本体ホールドポジション角度が図３−（ａ）と検出された場合、図３−（ｂ）だけでなく図３−（ｃ）、図３−（ｄ）のホールドポジションでのモード選択を許可しても問題はないし、図３−（ａ）、図３−（ｂ）で設定したモードと同じモードを、自動的に図図３−（ｃ）、図３−（ｄ）に割り当てても問題はない。
【００４２】
次に、図４のＳ３００ステップである〔動画／静止画モード〕選択について説明する。
【００４３】
図６は、Ｓ３００ステップを表すフローチャートである。図４のＳ２００により〔動画／静止画モード〕が選択されると、Ｓ３０１にて、角度検出手段２１３により本体のホールドポジション角度が検知される。Ｓ３０１にてホールドポジション角度が検知されると、システム制御回路２０８は、Ｓ３０２にて不揮発性メモリ２０９を参照し、図４のような現ホールドポジション角度とペアとなるホールドポジションを読み出す。現在のホールドポジションが検出され、ペアとなるポジションが導出されるとＳ３０３に進み、角度が読み出されなかった場合や、撮像装置１００にペアとなるホールドポジションが導出されない場合はＳ３１１に進み、電源立ち上げ時の所定のモードに戻り、動作を終了する。次にシステム制御回路
２０８は、Ｓ３０１にて検出されたホールドポジション角度と不揮発性メモリ２０９を参照し、現在のホールドポジションにおける閃光発光部の位置を検出する。Ｓ３０３にて閃光発光部の位置が検出されたら、システム制御回路２０８は、Ｓ３０４にて閃光発光部は正位置にあるかどうかを検出する。正位置にあるかどうかの判断の１つとして、例えば図３−（ａ）、図３−（ｄ）のように、閃光発光部がレンズ部よりも上側にある場合は、正位置であり、逆に図３−（ｂ）、図３−（ｃ）のように下側にある場合は非正位置と判断しても構わない。Ｓ３０４にて閃光発光部が正位置と判断されたらＳ３０５に進み、現在のホールドポジションは静止画モードに設定され、Ｓ３０７にてペアとなるホールドポジションは動画モードに設定される。一方、Ｓ３０４にて閃光発光部が非正位置と判断されたらＳ３０６に進み、現在のホールドポジションは動画モードに設定され、Ｓ３０８にてペアとなるホールドポジションは静止画モードに設定される。
【００４４】
Ｓ３０７またはＳ３０８を経て、Ｓ３０９にて設定が決定されるとＳ３１０に進み、再設定が選択されれば、Ｓ３０４に戻る。次にシステム制御回路は、角度検出手段２１３により現在のホールドポジションを検出し、Ｓ３０５〜Ｓ３０８にて決定されたポジションに従い、モードを変更する。以上で図６におけるＳ３００ステップが終了する。
【００４５】
ここで、Ｓ３０２にてペアとなるホールドポジションが１つの場合を例としたが、２つ以上の場合でも構わない。例えば、撮像装置１００を背面から見た場合に正方形の形状をしている場合、違和感のないホールドポジションが４つと認識できる。その場合は、Ｓ２０４にて４つのポジションそれぞれにおいて静止画または動画モードを設定することが可能である。またこの場合は、閃光発光部を正位置とするポジションが１つ以上存在し、正位置全てを静止画とし、非正位置を動画モードと設定しても構わない。
【００４６】
また、Ｓ３０５〜Ｓ３０８にてペアとならないホールドポジションのモード設定の選択を行っても構わない。例えば、Ｓ３０１にて本体ホールドポジション角度が図３−（ａ）と検出された場合、図３−（ｂ）だけでなく図３−（ｃ）、図３−（ｄ）のホールドポジションでの静止画・動画モードの選択を許可しても問題はない。この場合、動画・静止画の判断基準は前述した閃光発光部の位置により判断しても構わない。
【００４７】
次に、図４のＳ４００ステップである〔撮影／再生モード〕選択について説明する。
【００４８】
図７は、Ｓ３００ステップを表すフローチャートである。図４のＳ２００により〔撮影／再生モード〕が選択されると、Ｓ４０１にて、角度検出手段２１３により本体のホールドポジション角度が検知される。Ｓ４０１にてホールドポジション角度が検知されると、システム制御回路２０８は、Ｓ４０２にて不揮発性メモリ２０９を参照し、図４のような、現ホールドポジション角度とペアとなるホールドポジションを読み出す。現在のホールドポジションが検出され、ペアとなるポジションが導出されるとＳ４０３に進み、角度が読み出されなかった場合や、撮像装置１００にペアとなるホールドポジションが導出されない場合はＳ４１１に進み、電源立ち上げ時の所定のモードに戻り、動作を終了する。
【００４９】
次にシステム制御回路２０８は、Ｓ４０１にて検出されたホールドポジション角度と不揮発性メモリ２０９を参照し、現在のホールドポジションにおける閃光発光部の位置を検出する。Ｓ４０３にて閃光発光部の位置が検出されたら、システム制御回路２０８は、Ｓ４０４にて閃光発光部は正位置にあるかどうかを検出する。正位置にあるかどうかの判断の１つとして、例えば図３−（ａ）、図３−（ｄ）のように、閃光発光部がレンズ部よりも上側にある場合は、正位置であり、逆に図３−（ｂ）、図３−（ｃ）のように下側にある場合は非正位置と判断しても構わない。Ｓ３０４にて閃光発光部が正位置と判断されたらＳ４０５に進み、現在のホールドポジションは撮影モードに設定され、Ｓ４０７にてペアとなるホールドポジションは再生モードに設定される。一方、Ｓ４０４にて閃光発光部が非正位置と判断されたらＳ４０６に進み、現在のホールドポジションは再生モードに設定され、Ｓ４０８にてペアとなるホールドポジションは撮影モードに設定される。
【００５０】
Ｓ４０７またはＳ４０８を経て、Ｓ４０９にて設定が決定されるとＳ４１０に進み、再設定が選択されれば、Ｓ４０４に戻る。次にシステム制御回路は、角度検出手段２１３により現在のホールドポジションを検出し、Ｓ４０５〜Ｓ４０８にて決定されたポジションに従い、モードを変更する。以上で図７におけるＳ４００ステップが終了する。
【００５１】
ここで、Ｓ４０２にてペアとなるホールドポジションが１つの場合を例としたが、２つ以上の場合でも構わない。例えば、撮像装置１００を背面から見た場合に正方形の形状をしている場合、違和感のないホールドポジションが４つと認識できる。その場合は、Ｓ４０４にて４つのポジションそれぞれにおいて静止画または動画モードを設定することが可能である。またこの場合は、閃光発光部を正位置とするポジションが１つ以上存在し、正位置全てを撮影モードとし、非正位置を再生モードと設定しても構わない。
【００５２】
また、Ｓ４０５〜Ｓ４０８にてペアとならないホールドポジションのモード設定の選択を行っても構わない。例えば、Ｓ２０１にて本体ホールドポジション角度が図３−（ａ）と検出された場合、図３−（ｂ）だけでなく図３−（ｃ）、図３−（ｄ）のホールドポジションでの撮影・生成モードの選択を許可しても問題はない。この場合、撮影・再生の判断基準は前述した閃光発光部の位置により判断しても構わない。
【図面の簡単な説明】
【００５３】
【図１】本発明による一実施形態に係わる構成概念図である。
【図２】本発明による一実施形態に係わる撮像装置を表すブロック図である。
【図３】本発明による一実施形態に係わる、任意のホールドポジションと、そのペアとなるホールドポジションを表す概念図である。
【図４】撮像装置のモード設定一実施形態を表すフローチャートである。
【図５】撮像装置のモード設定一実施形態を表すフローチャートである。
【図６】撮像装置のモード設定一実施形態を表すフローチャートである。
【図７】撮像装置のモード設定一実施形態を表すフローチャートである。
【符号の説明】
【００５４】
１００  撮像装置
１０１  電源スイッチ
１０２  タッチパネル機能つき液晶モニタ
１０３  鏡筒部
１０４  閃光発光部
２０１  撮影レンズ
２０２  絞り機能を備えるシャッター
２０３  撮像素子
２０４  Ａ／Ｄ変換器
２０５  撮像素子制御回路
２０６  画像処理回路
２０７  メモリ
２０８  システム制御回路
２０９  不揮発性メモリ
２１０  レンズ制御手段
２１１  露光制御手段
２１２  スイッチ全般
２１３  角度検出手段
２１４  タッチパネル機能つき液晶モニタ
２１５  記録媒体接続部
２１６  閃光発光制御装置
【図１】
2010147771.tif 000003
【図２】
2010147771.tif 000004
【図３】
2010147771.tif 000005
【図４】
2010147771.tif 000006
【図５】
2010147771.tif 000007
【図６】
2010147771.tif 000008
【図７】
2010147771.tif 000009